(57)【特許請求の範囲】
【請求項１】
上部および底部を備えた１対のゴルフシューズであって、前記対をなす各ゴルフシューズの前記上部の中央を通って長手方向へ延びる長手方向の中心軸線と、ドライバショットおよびアイアンショットの際のゴルファの照準合わせを改善するために最適のホーガンスタンス又はリードベタースタンスが得られるようにゴルファが足をターゲットおよびボールに対してかつ互いに対して位置決めすることができるように前記ゴルフシューズの前記上部に配設された整合手段とを有し、前記整合手段は、表示を行うための前記対をなすゴルフシューズの一方のゴルフシューズの前記長手方向の中心軸線から傾いた位置に設けられた少なくとも１本の第１の直線と、前記対をなすゴルフシューズの他方のゴルフシューズの前記上部に配設された少なくとも１本の第２の直線とを有し、前記少なくとも１本の第１の直線と前記少なくとも１本の第２の直線は、それぞれ対応する第１と第２の軸線を画定し、前記第１および第２の軸線は前記対をなすゴルフシューズが互いに平行に配置されたときに互いに交差するように配置されかつゴルファの足が最適のホーガンスタンス又はリードベタースタンスに置かれたときに互いに平行に配置されることを特徴とするゴルフシューズ。
【請求項２】
前記整合手段は前記対をなすゴルフシューズの一方のゴルフシューズの前記上部に配設された第１の組をなす直交する長手方向と側方向の線状表示と、前記対をなすゴルフシューズの他方のゴルフシューズの前記上部に配設された第２の組をなす直交する長手方向と側方向の線状表示とを有し、前記第１と第２の組をなす直交する線状表示は前記対をなすゴルフシューズの前記長手方向の中心軸線が互いに平行に置かれたときに互いに傾き、前記第１と第２の組をなす直交する線状表示は、ゴルファの足が最適のスタンスに置かれたときにそれぞれの長手方向および側方向の線状表示が互いに平行となるように設けられていることを特徴とする請求項１に記載のゴルフシューズ。
【請求項３】
前記第１と第２の組をなす直交する長手方向および側方向の線状表示はそれぞれ、１本の長手方向に延びるラインと１本の側方向へ延びるラインとからなることを特徴とする請求項２に記載のゴルフシューズ。
【請求項４】
前記第１と第２の組をなす直交する長手方向および側方向の線状表示は複数の交差するラインからなることを特徴とする請求項２に記載のゴルフシューズ。
【請求項５】
前記少なくとも１本の第１の直線は約２２・１／２度の角度で前記対をなすゴルフシューズの右のゴルフシューズの前記長手方向の中心軸線から偏位され、前記少なくとも１本の第２の直線は左利きのゴルファが前記ゴルフシューズを最適位置に配置したときにホーガンスタンスをとることができるように前記対をなすゴルフシューズの左のゴルフシューズの前記長手方向の中心軸線と共軸して延びることを特徴とする請求項１に記載のゴルフシューズ。
【請求項６】
前記少なくとも１本の第２の直線は約２２・１／２度の角度で前記対をなすゴルフシューズの左のゴルフシューズの前記長手方向の中心軸線から偏位され、前記少なくとも１本の第１の直線は右利きのゴルファが前記ゴルフシューズを最適位置に配置したときにホーガンスタンスをとることができるように前記対をなすゴルフシューズの右のゴルフシューズの前記長手方向の中心軸線と共軸して延びることを特徴とする請求項１に記載のゴルフシューズ。
【請求項７】
前記少なくとも１本の第１の直線は約２７・１／２度の角度で前記対をなすゴルフシューズの右のゴルフシューズの前記長手方向の中心軸線から偏位され、前記少なくとも１本の第２の直線はゴルファが前記ゴルフシューズを最適位置に配置したときにリードベタースタンスをとることができるように約２７・１／２度の角度で前記対をなすゴルフシューズの左のゴルフシューズの前記長手方向の中心軸線から偏位されていることを特徴とする請求項１に記載のゴルフシューズ。
【請求項８】
前記整合手段を、前記ゴルフシューズの前記上部に対して選択的に取着および脱着を行なうための連結手段を備えることを特徴とする請求項１に記載のゴルフシューズ。
【請求項９】
シールドを備え、該シールドは該シールドを前記ゴルフシューズの前記上部に取り外し自在に連結する手段を有することを特徴とする請求項１に記載のゴルフシューズ。
【請求項１０】
前記シールドはゴルフボールとゴルフシューズの所定の一方との整合を容易にしてパットの際のゴルファの照準合わせを最適にするように配設されたパット整合手段を備えることを特徴とする請求項９に記載のゴルフシューズ。
【請求項１１】
前記パット整合手段は前記ゴルフシューズの少なくとも一方の前記上部に配設された少なくとも１本の長手方向のラインを有し、該少なくとも１本の長手方向のラインをパットの前にゴルフボールと整合させることによりゴルファの照準合わせを最適にすることを特徴とする請求項１０に記載のゴルフシューズ。
【請求項１２】
前記パット整合手段は前記上部に配設された前記少なくとも１本の長手方向のラインと直交する少なくとも１本の側方向のラインを有することを特徴とする請求項１１に記載のゴルフシューズ。
【発明の詳細な説明】
【０００１】
【産業上の利用分野】
本発明は、ゴルフでのスタンス(stance)を最適なものにして、ゴルファの照準合わせ(aim) を改善する装置に関する。より詳細に云うと、本発明は、プレーヤが最適のスタンスをとることにより、ドライバショットおよびアイアンショットの際の照準合わせを改善することができる自動照準合わせ(self-aligning) ゴルフシューズに関する。
【０００２】
【従来の技術】
ゴルフは、はるか以前から、世界全体において人気のあるスポーツとなっている。この人気は、合衆国と海外の双方で確実に高まっている。ところで、ゴルファは、練習時間を増やすとともに、競争相手のプレーヤをしのぐ有利な結果をもたらす可能性のある種々の付属品を購入することにより、スコアを良くする努力を続けてきた。
【０００３】
ゴルファが改善の努力を続けている特定の分野の１つに、照準合わせがある。ゴルフスイングは、先づスタンスを適正に決めること、ダウンスイングの際の集中、プレーヤの体重の適正な移動およびフォロースルーをはじめとする幾つかの要素からなっているが、ゴルフスイングと正確な照準合わせを上首尾に行なうための基本は、先づ、スタンスを最適にとることである。ゴルフ練習技術が本質的に多岐に亘ることから明らかなように、発明者は、ドライバショットおよびアイアンショットの際にゴルファが適正なスタンスをとり易くする装置をはじめとするゴルフ練習補助器および照準合わせ改良装置の開発に向けて多大の努力を費やしてきた。
【０００４】
先行技術の多岐に亘る努力にも拘らず、公知の装置はいずれも、プレーの際の使用には望ましくない、あるいは許容されていない(illegal) といった欠点をもっている。即ち、幾つかの公知のゴルフ練習装置は、ゴルフシューズの底の外側部分に取着されるようになっているくさび形の装置を備えている。これらの許容されていない装置は、一般に、ゴルファの片方の足を傾けて、スイングの際のゴルファの体重の適正な移動を容易にするのに使用されている。かかる装置は、デイビス(Davis) の米国特許第４，８１９，９４０号およびオブライエン(O'Brien) の米国特許第４，０７３，３７５号に開示されている。
【０００５】
パーシック(Percic)の米国特許第５，１５０，９０３号に開示されている許容されていない装置のような、ゴルファのスタンスを改善する別の試みが、先行技術の装置においてなされている。
【０００６】
先行技術にはまた、ゴルフスイングの際のゴルファの体重または身体の位置の移動によりゴルファのバランスを改善するためにゴルファの足を左または右へ傾けさせるゴルフシューズの装入具即ちインサートがある。許容されていないインサートタイプの装置は、例えば、パパロ(Paparo)の米国特許第５，２１２，８９４号およびブラッジメイヤ(Bruggemeier) の米国特許第４，９５３，３１１号に開示されている。
【０００７】
更に、ゴルファが、最適なスタンスを容易にとることができるように、練習の際にゴルファのスタンスが適正に決められたことを示すのに有用な外部足位置決めインジケータが、提案されている。これらの装置は一般に、取り扱いが著しく面倒であるので、ゴルフコースで使用するために持ち歩くことができず、プレーの際には使用することがない。かかる装置は、例えば、テイバー(Taber) の米国特許第３，２２９，９８１号およびトレント(Trent) の米国特許第３，１２２，８４６号に開示されている。
【０００８】
パット補助具もまた先行技術に開示されているが、これは、ゴルファのパット能力を高めることができるようにゴルフシューズとゴルフボールとの整合を容易にすることができるようにしている。かかる装置は、例えば、ミラー(Miller)の米国特許第２，５０３，５８６号に開示されている。この装置はパットには有用であるかもしれないが、ゴルファの足を互いに位置決めすることは容易に行なうことができないので、ドライバショットおよびアイアンショットには使用することができない。
【０００９】
ドライバショットおよびアイアンショットの際のゴルファのスイングを改善することを目的とする前記先行技術はいずれも、ＰＧＡルールでは認められないという大きな欠点をもっている。特に、ＰＧＡルールは、ゴルファがスイングを改善してゴルフのスコアを良くするために、物理的な補助具を使用することを認めていない。
【００１０】
本発明は、ゴルファの照準合わせを改善することができるように、ドライバショットおよびアイアンショットの際に、ゴルファが最適なスタンスをとり易くする手段を提供することにより、先行技術の上記欠点を解決するものである。更に、本発明は、ＰＧＡのルールの規定を全て充足するので、練習および公式プレーの際に有用である。
【００１１】
従って、本発明の目的は、ゴルファの照準合わせを改善することができるように、ドライバショットおよびアイアンショットの際に最適なスタンスをゴルファがとり易くする手段を備えた１対のゴルフシューズを提供することにある。
【００１２】
本発明の別の目的は、公式プレーの際に使用することができるように、ＰＧＡの規定の全てを満たす、ドライバショットおよびアイアンショットの際に最適なスタンスをゴルファがとり易くするのに使用することができる１対のゴルフシューズを提供することにある。
【００１３】
本発明の更に別の目的は、ドライバショットおよびアイアンショットの際にゴルファが最適なスタンスをとり易くするように、ゴルフシューズをターゲットおよびゴルフボールに対してかつ互いに対して位置決めするための手段を備えた１対のゴルフシューズを提供することにある。
【００１４】
【課題を解決するための手段】
本発明の一の観点によれば、上部および底部を備えた１対のゴルフシューズが提供されている。このゴルフシューズは、上部および底部を備えた１対のゴルフシューズであって、前記対をなす各ゴルフシューズの前記上部の中央を通って長手方向へ延びる長手方向の中心軸線と、ドライバショットおよびアイアンショットの際のゴルファの照準合わせを改善するために最適のホーガンスタンス又はリードベタースタンスが得られるようにゴルファが足をターゲットおよびボールに対してかつ互いに対して位置決めすることができるように前記ゴルフシューズの前記上部に配設された整合手段とを有し、前記整合手段は、表示を行うための前記対をなすゴルフシューズの一方のゴルフシューズの前記長手方向の中心軸線から傾いた位置に設けられた少なくとも１本の第１の直線と、前記対をなすゴルフシューズの他方のゴルフシューズの前記上部に配設された少なくとも１本の第２の直線とを有し、前記少なくとも１本の第１の直線と前記少なくとも１本の第２の直線は、それぞれ対応する第１と第２の軸線を画定し、前記第１および第２の軸線は前記対をなすゴルフシューズが互いに平行に配置されたときに互いに交差するように配置されかつゴルファの足が最適のホーガンスタンス又はリードベタースタンスに置かれたときに互いに平行に配置されている。
【００１５】
本発明の好ましい実施例においては、前記整合手段は前記対をなすゴルフシューズの右のゴルフシューズの前記上部に配設された第１の組をなす直交する長手方向と側方向の線状表示(linear indicia)と、前記対をなすゴルフシューズの左のゴルフシューズの前記上部に配設された第２の組をなす直交する長手方向と側方向の線状表示とを有し、前記第１と第２の組をなす直交する線状表示は前記左右のゴルフシューズの前記長手方向の中心軸線が互いに平行に置かれたときに互いに偏位され、前記第１と第２の組をなす直交する線状表示はゴルファの足が最適のスタンスに置かれたときにそれぞれの長手方向および側方向の線状表示が互いに平行となるように配設されている。
【００１６】
本発明の好ましい実施例においては、前記第１と第２の組をなす直交する長手方向および側方向の線状表示はそれぞれ、１本の長手方向に延びるラインと１本の側方向へ延びるラインとからなる。
【００１７】
本発明の好ましい実施例においては、前記第１と第２の組をなす直交する長手方向および側方向の線状表示は複数の交差するラインからなる。
【００１８】
本発明の好ましい実施例においては、前記少なくとも１本の第１の直線は約２２・１／２度の角度で前記右のゴルフシューズの前記長手方向の中心軸線から偏位され、前記少なくとも１本の第２の直線は左利きのゴルファが前記ゴルフシューズを最適位置に配置したときにホーガンスタンス(Hogan stance)をとることができるように前記左のゴルフシューズの前記長手方向の中心軸線と共軸して延びている。
【００１９】
本発明の好ましい実施例においては、前記少なくとも１本の第２の直線は約２２・１／２度の角度で前記左のゴルフシューズの前記長手方向の中心軸線から偏位され、前記少なくとも１本の第１の直線は右利きのゴルファが前記ゴルフシューズを最適位置に配置したときにホーガンスタンスをとることができるように前記右のゴルフシューズの前記長手方向の中心軸線と共軸して延びている。
【００２０】
本発明の好ましい実施例においては、前記少なくとも１本の第１の直線は約２７・１／２度の角度で前記右のゴルフシューズの前記長手方向の中心軸線から偏位され、前記少なくとも１本の第２の直線はゴルファが前記ゴルフシューズを最適位置に配置したときにリードベタースタンス(Leadbetter stance) をとることができるように約２７・１／２度の角度で前記左のゴルフシューズの前記長手方向の中心軸線から偏位されている。
【００２１】
本発明の好ましい実施例においては、ゴルフシューズは、前記整合手段を、前記ゴルフシューズの前記上部に対して選択的に取着および脱着を行なうための連結手段を備える。
【００２２】
本発明の好ましい実施例においては、シールドを備え、該シールドは該シールドを前記ゴルフシューズの前記上部に取り外し自在に連結する手段を有する。
【００２３】
本発明の好ましい実施例においては、前記シールドはゴルフボールとゴルフシューズの所定の一方との整合を容易にしてパットの際のゴルファの照準合わせを最適にするように配設されたパット整合手段を備える。
【００２４】
本発明の好ましい実施例においては、前記パット整合手段は前記ゴルフシューズの少なくとも一方の前記上部に配設された少なくとも１本の長手方向のラインを有し、該少なくとも１本の長手方向のラインをパットの前にゴルフボールと整合させることによりゴルファの照準合わせを最適にする。
【００２５】
本発明の好ましい実施例においては、前記パット整合手段は前記上部に配設された前記少なくとも１本の長手方向のラインと直交する少なくとも１本の側方向のラインを有する。
【００２６】
【作用】
本発明は、ドライバショットおよびアイアンショットの際のゴルファの照準合わせを改善するために最適のスタンスが得られるように、ゴルファの足をボールに対しておよび互いに対して位置決めすることができるようにする一対のゴルフシューズに関する。各ゴルフシューズは、上部と底部とを備える。各ゴルフシューズの上部は中心を通って長手方向に延びる長手方向の中心軸線と、ゴルフシューズの少なくとも一方の上部に配設された整合手段とを有している。この整合手段は、長手方向の中心軸線の対応する中心軸線から偏位して所定の態様で配向された表示を有している。
【００２７】
一の好ましい実施例においては、ゴルフシューズの整合手段は、右のゴルフシューズの上部に配設された第１の組の直交する長手方向および側方向の線状表示と、左のゴルフシューズの上部に配設された第２の組の直交する長手方向および側方向の線状表示とを有している。第１と第２の組の直交する線状表示は、左右のゴルフシューズの長手方向の中心軸線が互いに平行に置かれると互いに離れるように偏位されるのが好ましい。ゴルファの足が最適のスタンスに置かれたときに、第１と第２の組の直交する線状表示は、長手方向および側方向の線状表示が互いに平行に配置されるように配設されるようになっている。第１と第２の組の直交する長手方向および側方向の線状表示はそれぞれ、１本の長手方向に延びるラインと１本の側方向に延びるラインとから構成することができ、あるいは複数の長手方向または側方向のラインから構成することができる。好ましくは、１本以上の側方向のラインは、ゴルフシューズが最適位置に配置されたときに目的とするターゲット位置と整合される。
【００２８】
別の好ましい実施例においては、ゴルフシューズの整合手段は、右のゴルフシューズの上部の所定の位置に配設された少なくとも１本の第１の直線と、左のゴルフシューズの上部の所定の位置に配設された少なくとも１本の第２の直線とを有している。少なくとも１本の第１の直線と少なくとも１本の第２の直線は、ゴルフシューズが互いに平行に置かれたときに互いに交差するように配置される、対応する第１および第２の軸線を画定し、しかもゴルファの足が最適のスタンスに置かれたときに互いに平行に配置されるようになっている。
【００２９】
更に別の好ましい実施例においては、少なくとも１本の第２の直線は、約２２・１／２度の角度で左のゴルフシューズの長手方向の中心軸線から偏位され、少なくとも１本の第１の直線は、ゴルフシューズを最適の位置に置いたときに右利きのゴルファがホーガンスタンスをとることができるように、右のゴルフシューズの長手方向の中心軸線と共軸に延びるように配設されている。
【００３０】
本発明の更に別の実施例においては、少なくとも１本の第１の直線は、約２２・１／２度の角度で右のゴルフシューズの長手方向の中心軸線から偏位され、少なくとも１本の第２の直線は、ゴルフシューズを最適の位置に置いたときに右利きのゴルファがホーガンスタンスをとることができるように、右のゴルフシューズの長手方向の中心軸線と共軸に延びるように配設されている。
【００３１】
本発明の好ましい実施例においては、少なくとも１本の第１と第２の直線は、ゴルファがゴルフシューズを最適位置に配置したときにリードベタースタンスをとることができるように約２７・１／２度の角度で左右のゴルフシューズのそれぞれの長手方向の中心軸線の対応するものから偏位させることができる。
【００３２】
本発明のゴルフシューズの整合手段はゴルフシューズの対応する上部に対して選択的に取着および脱着を行なう連結手段を備えることができる。
【００３３】
本発明の好ましい実施例においては、本発明のゴルフシューズは、整合手段を選択的に覆うようにゴルフシューズの上部に連結自在のシールドを備えることができる。取り外し自在のシールドは、ゴルフボールとゴルフシューズの所定の一方との整合を容易にして、パットの際のゴルファの照準合わせを最適にするように配設されたパット整合手段を備えることができる。パット整合手段は、ゴルフシューズの少なくとも一方の上部に配設された少なくとも１本の長手方向のラインを有し、該少なくとも１本の長手方向のラインをパットの前にゴルフボールと整合させることによりゴルファのパットストロークを最適にするように構成することができる。パット整合手段は少なくとも１本の長手方向のラインと直交する少なくとも１本の側方向のラインを有する。
【００３４】
別の好ましい実施例においては、取り外し自在のシールドは、任意のデザインを有することができ、あるいは表示を備えないようにすることもできる。
【００３５】
本発明の別の観点によれば、ドライバショットおよびアイアンショットの際にゴルファの照準合わせを最大にするようにゴルファが最適なスタンスを選択することができるようにした方法が提供されている。一の好ましい方法は、ゴルファの足をゴルフボールに対して配置する所望の位置を選択する工程と、ゴルファの足をターゲットとゴルフボールに対しておよび互いに対して配置する所望の位置を選択するためにゴルフシューズの上部に配設された表示を有する整合手段を利用する工程と、最適のスタンスが得られたときに整合手段が表示を行なうように所定の位置に両足を置く工程とを備える。
【００３６】
本発明の好ましい方法においては、整合手段は、複数の整合ラインからなるのが好ましく、両足を所定の位置に置く工程は、各ゴルフシューズの複数のラインのそれぞれの１つが、互いに平行にかつゴルファの足とターゲットとの間を延びる軸線と直交して延びる中心基準軸線に平行に配置されるようにゴルフシューズを互いに相対的に配置する工程からなるのが好ましい。
【００３７】
別の好ましい実施例においては、複数の整合ラインは、各ゴルフシューズに設けられた１対の直交するラインからなり、ゴルフシューズを互いに相対的に配置する工程は、長手方向および側方向のラインが互いに平行にかつゴルファの足とターゲットとの間を延びる軸線と直交して延びる中心基準軸線に平行に延びるように、対をなす直交したラインのそれぞれの１本を互いに整合させる工程からなる。この好ましい実施例においては、側方向のラインは、最適のスタンスが得られたときにターゲット領域と整合して配置されるように所定の位置に配置することができる。
【００３８】
【実施例】
以下、本発明を添付図面に示す実施例に関して説明する。
【００３９】
本発明の一の好ましい実施例に係る、左のゴルフシューズ２０Ａと右のゴルフシューズからなる１対のゴルフシューズが図１乃至３に全体示されている。このゴルフシューズは、ゴルファ２２が着用することにより、最適なスタンスを一貫してとることを容易にして、ドライブショットとアイアンショットの際のゴルファの照準合わせを改善することができるように適合されている。
【００４０】
本明細書において説明されているように、「ドライバショット」("driving shot")なる語と、「アイアンショット」("iron shot") なる語は、ドライバと、２番アイアン乃至９番アイアンをはじめとする通常のアイアンと、ピッチングウェッジと、チップショットに有用な全てのクラブとを使用して行なわれるショットの全てを含むものとして使用されている。かくして、ドライバショットおよびアイアンショットは、パターを除く全てのクラブを使用して行なわれるゴルフショットを含むものである。
【００４１】
本発明のゴルフシューズは、ゴルフボールを打つ前に適正なスタンスをとる場合に、全ての技術レベルのゴルファが補助具として使用することができるようになっている。図１乃至図９に開示されているゴルフシューズは、ゴルファ２２がゴルフにおいて人気のある２つのスタンス、即ち、ホーガン(Hogan) スタンスと、リードベター(Leadbetter)スタンスの一方をとったことを示す視認ラインを有している。
【００４２】
図１乃至図３に示すゴルフシューズは、全ての技術レベルのプレーヤがドライバショットとアイアンショットの際に、人気のあるホーガンスタンスをとることができるようにするのに有用である。左足即ち左のゴルフシューズは、上部２４Ａと底部２６Ａとを有している。同様に、右足即ち右のゴルフシューズ２０Ｂは、上部２４Ｂと底部２６Ｂとを有している。かくして、本発明のゴルフシューズの支持構造は、既に商業的に入手することができる運動靴のほとんどと同じ基本構成部材、即ち、底部と上部とを備えている。
【００４３】
図１乃至図３に示す好ましい実施例においては、左のゴルフシューズ２０Ａは、長手方向に延びるガイドライン２８Ａと側方向に延びるガイドライン３０Ａとを有している。側方向のガイドライン３０Ａは、長手方向のガイドライン２８Ａと直交するように配設されている。長手方向の中心軸線ＬＡが、図１において仮想線で示すように、左のゴルフシューズ２０Ａの長手方向の中心を通って延びている。
【００４４】
右のゴルフシューズ２０Ｂも同様に、上部２４Ｂに配設された一対のガイドラインを有している。即ち、右のゴルフシューズ２０Ｂは、長手方向に延びるガイドライン２８Ｂと、該長手方向のガイドラインと直交して配設された側方のガイドライン３０Ｂとを有している。更に、長手方向に延びる中心軸線ＲＡが、右のゴルフシューズ２０Ｂの長手方向のガイドライン２８Ｂと共軸をなして整合されている。
【００４５】
左右のゴルフシューズのそれぞれの底部２６Ａおよび２６Ｂは、ゴム材料から形成することができる。しかしながら、底部２６Ａおよび２６Ｂを形成する材料は、本発明にとって臨界的ではなく、従って、皮革、ゴム、プラスチックなどのような他の適宜の材料から形成することもできる。同様に、左右のゴルフシューズの上部２４Ａおよび２４Ｂは、皮革、合成皮革、ズック、ビニールなどをはじめとする種々の材料から形成することができる。左のゴルフシューズ２０Ａのガイドライン２８Ａおよび３０Ａと、右のゴルフシューズ２０Ｂのガイドライン２８Ｂおよび３０Ｂは、最適のスタンスをとって、ドライバショットおよびアイアンショットの際のゴルファの照準合わせを改善することができるように、ゴルファの足を互いに対しておよびボールに対して位置決めする場合にゴルファ２２が視認することができる整合手段として作用するように構成されている。かかる構成を、以下において、詳細に説明する。
【００４６】
ガイドラインは、本発明の全ての実施例において、左右のゴルフシューズの上部２４Ａと２４Ｂに適宜の態様で配設することができる。例えば、ガイドラインは、種々の色彩の染料、縫製材料、分離自在のスナップ装置またはループ／フックベルクロ（ｖｅｌｃｒｏ）コネクタによりゴルフシューズの上部に配置することができる。
【００４７】
上記したように、図１乃至図３に示すゴルフシューズ２０Ａおよび２０Ｂは、ドライバショットおよびアイアンショットの際に右利きのゴルファがホーガンスタンスをとり易くするように構成されている。これは、左のゴルフシューズ２０Ａの長手方向のガイドライン２８Ａを長手方向の中心軸線ＬＡと交差させて、左のゴルフシューズ２０Ｂの前方側、即ち、右のゴルフシューズに最も近い側に約２２・１／２度の角度を形成するように、ガイドライン２８Ａを所定の位置に配置することにより行なうことができる。長手方向のガイドライン２８Ａと側方向のガイドライン３０Ａとの相対的な位置は固定される。図１乃至図３に示す実施例においては、長手方向の軸線２８Ａは、左足のゴルフシューズの位置に関係なく、側方向のガイドライン３０Ａと常に直交した状態にある。右足のゴルフシューズ２０Ｂの長手方向の軸線２８Ｂと側方向の軸線３０Ｂもまた、常に直交した状態に置かれる。
【００４８】
右のゴルフシューズ２０Ｂの長手方向のガイドライン２８Ｂは、中心の基準ラインＲＡと共軸をなして延びている。左のゴルフシューズ２０Ａの場合と同様に、右のゴルフシューズ２０Ｂの側方向のガイドライン３０Ｂも常に、対応する長手方向のガイドライン２８Ｂと直交した状態に保持される。
【００４９】
図２は、右利きのゴルファ２２が本発明の好ましい実施例に従ってホーガンスタンスをとった後の左右のゴルフシューズを示す平面図である。図２から明らかように、左のゴルフシューズ２０Ａは、上部２４Ａに配置されている長手方向のガイドライン２８Ａと側方向のガイドライン３０Ａが右のゴルフシューズ２０Ｂの上部２４Ｂの長手方向のガイドライン２８Ｂと側方向のガイドライン３０Ｂとそれぞれ平行して延びる軸線に位置するようになるまで、右のゴルフシューズ２０Ｂに対して所定の角度で配置されるべきである。左右の長手方向と側方向のガイドラインが図２に示すように互いに整合されると、ゴルファ２２が所望のスタンスをとったことがゴルファに示される。
【００５０】
実際には、ゴルファは、適正なスタンスをとる前にゴルフオール３２から特定の距離のところに足を置く。ゴルファの身体と足のゴルフボール３２に対する位置および互いに対する位置、並びに、ゴルファの身体と足のターゲットに対する位置が、流行しているホーガンスタンスをとるために本発明のゴルフシューズを使用しているゴルファ２２を全体示する図３に示されている。
【００５１】
右利きのゴルファの場合には、ゴルフボール３２は、図３に示すように、中心の基準軸線ＣＡに沿ったゴルファの身体の所望の場所と並ぶようにされる。当然のことであるが、各個人間には、ゴルフボール３２とゴルファの身体の所定の場所との整合に関して、好みの違いがある。例えば、ある右利きのゴルファの場合は、ゴルフボール３２をゴルファの脇の下と整合させることを好み、他のゴルファはゴルフボールを左の踵その他の場所と整合させることを好む場合がある。当然のことであるが、左利きのゴルファの場合には、ゴルフボール３２がゴルファの身体（図示せず）の右側の位置と整合して配置されるように、身体の位置が逆にされる。このように最初の整合が行なわれると、ゴルファは最適のスタンスをどのようにしてとるかを決めなければならない。本発明においては、これは、ゴルファの足をターゲットに対しておよび互いに対して、更にはゴルフボール３２に対して相対的に配置することを容易にする視認手段をゴルファ２２に提供することにより行なわれるようになっている。長手方向および側方向のガイドラインが整合されると、ゴルファは、最適のスタンスが得られたことおよびスイングを開始することができることを知ることができる。
【００５２】
図３に更に示すように、ゴルファ２２がホーガンスタンスを適正にとった場合には、左のゴルフシューズ２０Ａの長手方向のガイドライン２８Ａは、少なくとも１つの四分円弧(quadrant)において２２・１／２度の角度で中心の基準軸線ＣＡと交差する。一方、右のゴルフシューズ２０Ｂの長手方向のガイドライン２８Ｂは、中心の基準軸線ＣＡと平行して延びることになる。かくして、左と右のガイドライン間の角度関係は、長手方向の基準軸線ＬＡとＲＡおよび中心の基準軸線ＣＡに対して同じになる。
【００５３】
更にまた、側方向のガイドライン３０Ａと３０Ｂは、ゴルファがゴルフスイングを行なう前に照準合わせを容易に改善するのに特に有効である。即ち、側方向のガイドライン３０Ａおよび３０Ｂは、最適のスタンスがとられたときに得られる整合された軸線が、目的とするタ−ゲット領域とも整合するように配設される。本発明のかかる特徴は、整合されたライン３０Ａおよび３０Ｂにより、ゴルファ３２が矢印Ｔに沿ったターゲット領域へ向けて照準を定めることができることを示す図３から理解することができる。ゴルファ２２が最適のスタンスを得たときに、中心の基準軸線ＣＡは、ゴルファの足とターゲットとの間で側方向のガイドライン３０Ａと３０Ｂとを介して延びるターゲットの矢印Ｔの軸線と直交して延びる。
【００５４】
図４は、左足のゴルフシューズ４０Ａの上部４２Ａに複数の側方向のライン４４Ａ、４６Ａおよび４８Ａを有し、右足のゴルフシューズ４０Ｂの上部４２Ｂに複数の側方向のライン４４Ｂ、４６Ｂおよび４８Ｂ有する、本発明の別の実施例を示す。これらの追加した側方向のラインにより、ゴルファには、所望のスタンスを付与する側方向のラインを１本だけ有する実施例と比べて、一層明瞭な基準部位が提供される。図４の実施例においては、左右のゴルフシューズには、それぞれ１本の長手方向のライン５０Ａおよび５０Ｂが設けられている。しかしながら、ゴルフシューズの上部の外観を異なったものとする審美的な目的のために、側方向または長手方向のラインを増減させることができる。
【００５５】
図５および図６は、ホーガンスタンスを好む左利きのゴルファが使用する本発明の更に別の実施例が示されている。即ち、左右のゴルフシューズ６０Ａおよび６０Ｂの長手方向および側方向のガイドラインは、図１乃至図３に右利きのゴルファ用に示されているものとは逆の配向態様で形成されている。かくして、図５および図６に示す実施例においては、左利きのゴルファは、右足を左足から遠ざけるようにターンさせて、上記したようにゴルフボールとゴルファの身体の所定の場所との間の中心軸線に対して約２２・１／２度の角度を形成することが必要とされる。
【００５６】
本発明のゴルフシューズを使用することにより得られる第２の好ましいスタンスは、人気のあるリードベタースタンスである。リードベタースタンスが使用される場合には、ゴルファの足の位置は、左利きと右利きのプレーヤの場合で同じである。図７乃至図９は、ゴルファがリードベタースタンスをとり易くするのに必要とされる整合ガイドラインの配向を示す。即ち、図７は、整合ガイドラインがゴルファの足をリードベタースタンスに位置決めする前の配向位置にある本発明の更に別の好ましい実施例を示す平面図である。図８は、リードベタースタンスをとるためにゴルファの足を適正な位置に動かした後に得られる整合ガイドラインの配向状態を示す。このスタンスにおいては、左足と右足はいずれも、中央の基準軸線ＣＡ’（仮想線で図示）に対して約２７・１／２度の角度で互いに外側にターンされる。
【００５７】
本実施例においては、左のゴルフシューズは７０Ａは、上部７２Ａと底部７４Ａとを有している。長手方向のライン７６Ａと側方向のライン７８Ａとが、上部７２Ａに配設されている。長手方向の軸線７６Ａは、長手方向の中心軸線ＬＡ’の前方側に対して約２７・１／２度の角度を形成している。同様に、右のゴルフシューズ７０Ｂは、上部７２Ｂと側部７４Ｂとを有している。長手方向のライン７６Ｂと側方向のライン７８Ｂとが、上部７２Ｂに配設されている。右のゴルフシューズ７０Ｂの長手方向のライン７６Ｂもまた、（同様に仮想線で図示されている）長手方向の中心軸線ＣＡ’に対して約２７・１／２度の角度を形成しているが、かかる構成は図７および図８に示す通りである。図７に示す整合ラインの配向は、ゴルファの足が通常の立っている位置に置かれているとき、即ち、リードベタースタンスをとる前の状態にあるときにリードベタースタイルのゴルフシューズにおいて見受けられるものである。
【００５８】
リードベタースタンスが得られると、右のゴルフシューズ７０の長手方向のライン７６Ａと側方向のライン７８Ａは、図８および図９に示すように、右のゴルフシューズ７０Ｂの長手方向のライン７６Ｂおよび側方向のライン７８Ｂとそれぞれ平行になると考えられる。図９に更に示すように、整合された側方向のライン７８Ａおよび７８Ｂは、ターゲットの矢印Ｔを含む仮想軸線に配置される。かくして、ゴルファ２２には、ゴルフクラブのスイングを行なう前に照準合わせを改善する手段を提供することができる。
【００５９】
ゴルファの足の位置は、種々の好ましい実施例における所望のスタンスに従って変わることになるが、本発明の整合ガイドラインは、本発明の各実施例に関して同様の態様で作用を行なう。即ち、長手方向のラインおよび側方向のラインは、所定の場合には、他方のゴルフシューズの対応する長手方向または側方向のラインに対して平行な位置に配置されるべきである。これは、初心者のゴルファが最も楽なスタンスを選択する前に、種々のスタンスを経験することを望む場合があるので有利である。かくして、ゴルファは、本発明のリードベターおよびホーガンスタイルのゴルフシューズの双方を購入することができるとともに、左右のゴルフシューズの長手方向および側方向のラインは、所望の最適のスタンスが得られたことを示すように、互いに平行に配置しなければならないことを理解するすることが必要となるだけである。
【００６０】
長手方向および側方向のラインの数は、本発明の範囲に含まれる別の実施例においては変えることができるものである。即ち、図１０は、ゴルファ２２がリードベタースタンスを常にとることができるように構成された、本発明のゴルフシューズの更に別の好ましい実施例を示す。本実施例においては、左のゴルフシューズ８０Ａは、上部８２Ａに長手方向のライン８４Ａを１本有し、右のゴルフシューズ８０Ｂも同様に上部８２Ｂに長手方向のライン８４Ｂを１本有している。この実施例においては、ゴルフシューズの整合を行なうのに必要とされる側方向のラインはない。この実施例は、良い「目」を持ち、しかも長手方向の軸線が互いに平行に配置されていることを、側方向のラインに頼ることなく、容易に認識して、リードベタースタンスのような適正なスタンスが得られたことを正確に認識することができるゴルファに所望されるものとすることができる。
【００６１】
図１１は、リードベタースタンスをゴルファ２２がとる場合に使用することができる本発明のゴルフシューズの更に別の実施例を示す。本実施例によれば、左のシューズ８６Ａと右のシューズ８６Ｂはそれぞれ、対応する側方向のライン８８Ａと８８Ｂとを有している。位置決めが適正になされると、側方向のガイドライン８８Ａと８８Ｂは、互いに平行に配列され、矢印Ｔで示されるようなターゲットを指す共通の軸線に配置される。この実施例においては、図７乃至図１０の実施例とは異なり、適正な整合を行なうのに、長手方向のラインは必要とされない。しかしながら、図７乃至図１０の実施例と同様に、図１１のゴルフシューズもまた、直交する長手方向のラインに頼ることなく、最適のリードベタースタンスが得られたことを確認するために、側方向のガイドライン８８Ａと８８Ｂとが平行になったことを認識することができるゴルファが使用を所望することもできる。かくして、図１０および図１１のゴルフシューズは、経験レベルが比較的高いゴルファに特に望ましいものとすることができるので、適正なスタンスを得たことを素早く決定することができる。
【００６２】
本発明の更に別の実施例（図示せず）においては、ゴルファがホーガンスタンスをとることができるようにするゴルフシューズを、右のゴルフシューズには何のラインも持たず、左のゴルフシューズに長手方向または側方向のラインを１本有するように構成することができる。かかる実施例においては、本発明は、１本の長手方向または側方向のラインが、右のゴルフシューズを通る仮想の長手方向または側方向のラインと平行に配列されるときに、ホーガンスタンスが得られることを技術が高度のゴルファに示すことができる。この実施例は、本発明の種々の他の実施例における場合と同様に、複数のラインを有するゴルフシューズを着用することを望まないゴルファに所望されるものとすることができる。
【００６３】
図１２は、本発明の別の好ましい実施例を示す。即ち、この実施例においては、左右のゴルフシューズ９０Ａおよび９０Ｂの上部９２Ａおよび９２Ｂに対して選択的に取着することができるとともに、取り外すことができる任意の取り外し自在のシールド９４Ａおよび９４Ｂが配設されている。左のゴルフシューズ９０Ａのシールド９４Ａは、パットの際に右利きのプレーヤ用の整合手段として作用することができる長手方向のライン９６Ａと、直交する側方向のライン９８Ａとを有している。対応するフック／ループベルクロ(hook and loop velcro)コネクタ１００Ａを使用して、取り外し自在のシールドを左のゴルフシューズ９０Ａの上部９２Ａに連結することができる。右のゴルフシューズ９０Ｂにも、上部９２Ｂの整合ラインの上方にシールド９４Ｂを任意に取着するためのフック／ループベルクロ連結手段１００Ｂが装備されている。右のシールド９４Ｂは、パットの際に散漫になるのを防止するために右のゴルフシューズの上部９２Ｂの整合ラインをカバーすることができるように、デザインをもたない無垢の(solid) 外観を有するものとして図１２に図示されている。更に、別の実施例においては、取り外し自在のシールド９４Ａおよび９４Ｂはいずれも、所望のスタンスを得るとともに、改善された照準合わせを行なう場合の手段として本発明の整合手段を必要としない、経験をつんだゴルファに対して無垢の外観を有することができる。
【００６４】
上記説明および図面は、本発明の好ましい実施例に関するものであるが、ゴルフシューズの整合ガイドラインの構成と配列に関して数多くの修正を行なうことができる。かくして、上記した実施例の材料、構造および配列並びに本発明の方法の工程に関するかかる修正は、本発明の精神および範囲から逸脱することなく行なうことができるものである。従って、好ましい実施例に関する上記説明は、特許請求の範囲に記載の本発明を限定するものではなく、例示するものである。
【００６５】
【発明の効果】
本発明のゴルフシューズは、上記のように構成されているので、ゴルファは、ドタイバショットおよびアイアンショットの際に最適なスタンスをとることができ、かくして、照準合わせを有効に改善することができる。
【図面の簡単な説明】
【図１】所望の足の位置をとる前の状態にある右利きプレーヤ用の本発明のゴルフシューズの一の好ましい実施例を示す平面図である。
【図２】プレーヤの足が所望の位置に置かれた後の状態にある図１のゴルフシューズの平面図である。
【図３】ゴルファが使用している状態にある図２のゴルフシューズの斜視図である。
【図４】足が所望の位置に置かれた後の状態にある右利きプレーヤ用の本発明のゴルフシューズの第２の好ましい実施例を示す平面図である。
【図５】所望の位置をとる前の状態にある左利きプレーヤ用の本発明のゴルフシューズの第３の好ましい実施例を示す平面図である。
【図６】プレーヤの足が所望の位置をとった後の状態にある図５に示すゴルフシューズの平面図である。
【図７】所望の位置をとる前の状態にある右利きと左利きの双方のプレーヤ用の本発明のゴルフシューズの第４の好ましい実施例を示す平面図である。
【図８】プレーヤの足が所望の位置をとった後の状態にある図７に示すゴルフシューズの平面図である。
【図９】プレーヤの足が所望の位置をとった後の状態にプレーヤが使用している状態にある図７に示すゴルフシューズの斜視図である。
【図１０】ゴルファの足が所望の位置をとった後にゴルファが使用している右利きおよび左利きの双方のプレーヤ用の本発明のゴルフシューズの第５の好ましい実施例を示す斜視図である。
【図１１】ゴルファの足が所望の位置に置かれた後にゴルファが使用している右利きと左利きの双方のプレーヤ用の本発明のゴルフシューズの第６の好ましい実施例を示す斜視図である。
【図１２】任意の取り外し自在のシールドを示す本発明のゴルフシューズの第６の実施例の分解斜視図である。
【符号の説明】
２０Ａ  左のゴルフシューズ
２０Ｂ  右のゴルフシューズ
２２  ゴルファ
２４Ａ、２４Ｂ  上部
２６Ａ、２６Ｂ  底部
２８Ａ、２８Ｂ  長手方向のガイドライン
３０Ａ、３０Ｂ  側方向のガイドライン
４０Ａ  左のゴルフシューズ
４０Ｂ  右のゴルフシューズ
４２Ａ、４２Ｂ  上部
４４Ａ、４４Ｂ  側方向のライン
４６Ａ、４６Ｂ  側方向のライン
４８Ａ、４８Ｂ  側方向のライン
５０Ａ、５０Ｂ  長手方向のライン
６０Ａ  左のゴルフシューズ
６０Ｂ  右のゴルフシューズ
７０Ａ  左のゴルフシューズ
７０Ｂ  右のゴルフシューズ
７２Ａ、７２Ｂ  上部
７４Ａ、７４Ｂ  底部
７６Ａ、７６Ｂ  長手方向のライン
７８Ａ、７８Ｂ  側方向のライン
８０Ａ  左のゴルフシューズ
８０Ｂ  右のゴルフシューズ
８２Ａ、８２Ｂ  上部
８４Ａ、８４Ｂ  長手方向の軸線
８６Ａ  左のゴルフシューズ
８６Ｂ  右のゴルフシューズ
８８Ａ、８８Ｂ  側方向のライン
【図１】
0003763082.tif 000002
【図２】
0003763082.tif 000003
【図３】
0003763082.tif 000004
【図４】
0003763082.tif 000005
【図５】
0003763082.tif 000006
【図６】
0003763082.tif 000007
【図７】
0003763082.tif 000008
【図８】
0003763082.tif 000009
【図９】
0003763082.tif 000010
【図１０】
0003763082.tif 000011
【図１１】
0003763082.tif 000012
【図１２】
0003763082.tif 000013